(57)【特許請求の範囲】
【請求項１】
横長の整地用プレート(1)にガイド部材(2)を横方向に成形し、ツース部材(T)に止着するためのツースホルダ(4)の左右両側に翼片(41)・(42)を成形し、且つ当該ツースホルダをガイド部材(2)に沿ってスライド調節できるように嵌合し、且つその各ツースホルダをツース部材(T)に装着し、ロックピン(7)をツースホルダ(4)に設けた孔(6)からツース部材(T)の孔(h)に挿通して連結固定すると共に、その各ツースホルダ(4)の隣り合う翼片同士(41)・(42)を前後に重なり合うように配置したことを特徴とする土木工事用ショベル機械におけるバケット用掘削兼整地具。
【請求項２】
横長の整地用プレート(1)に凸溝形のガイド部材(2)を横方向に成形すると共に、その横長ガイド部材(2)の下方に横長の凹溝形ガイド(8)を成形し、バケット(B)のツース部材(T)を止着するためのツースホルダ(4)を凹溝形嵌合部(5)に、またツースホルダの下部突起片(40)を前記の凹溝ガイド(8)に沿って共にスライドできるように嵌合し、ロックピン(7)をツースホルダ(4)に設けた孔(6)とツース部材の孔(h)に挿通して連結固定すると共に、その各ツースホルダ(4)の隣合う翼片同士(41)・(42)を前後に重なり合うように配置したことを特徴とする土木工事用ショベル機械におけるバケット用掘削兼整地具。
【請求項３】
横長の整地用プレート(1)を左右に２分割してプレート片(11)・(12)を成形し、これに嵌合掛止するツースホルダ(4)の両側翼片(41)・(42)の横方向の張り出し寸法(l1)・(l2)をバケット(B)のツースピッチ(P)の半分の長さ若しくはそれより多少長目に設定し、且つ当該翼片の高さ(H)をツースホルダとバケットのツース取付け下辺(B1)との間(H1)を塞ぐ程度の高さに設定し、前記の両プレート片(11)・(12)の中央部に合わせ目(A)を成形し、且つ本体プレート(1)の左右両外側端部にストッパ(9)を成形し、各本体プレート(1)の合わせ目を接合段部(10)を介して接合する請求項１又は請求項２記載の土木工事用ショベル機械におけるバケット用掘削兼整地具。
【発明の詳細な説明】
【０００１】
【産業上の利用分野】
本発明は土木工事用ショベル機械におけるバケット用掘削兼整地具に関するもので、整地用プレートとツースホルダを完全に分離して成形し、使用時にこの両者をスライド調節できるように嵌合することによって、バケットツースのピッチを選ばずに取付け可能にし、ツースホルダの交換を容易にし、整地精度が向上できるようにしたことを目的とする。
【０００２】
【従来の技術】
この種の掘削兼整地具にあっては、本発明者・出願人等は先に実公平５−12366号（実用新案登録第2006785号）で、複数に分割して、且つ多少のピッチ調整ができるバケットの地均し板の登録実用新案を提供した。これによって、掘削現場において、地均し作業において、精度が高く且つ効率的に行えるようになった。その後、特開平９−158238号、特開平10−77664号、特開平10−219726号の公開公報において、掘削と整地ができるバケット用機具が公表されている。
【０００３】
【発明が解決しようとする課題】
ところが、前記の登録実用新案は、バケットのわずかなピッチ調整はできるが、数cmから１０数cmのピッチ調節はできない。また、前記３件の公開特許に係る地均し用工具類にあっては、ピッチ調節は全くできない構造になっている。
【０００４】
また、前記の登録実用新案を始め３件の公開特許は、バケットツースの本数の増減に適合する構造にもなっていない。
さらに、ツースに装着する従来のツースホルダは、その両側の全面を側板で覆って整地盤が一体になっていたが、１ピース自体の重量が相当に重くなっていた。
【０００５】
【課題を解決するための手段】
そこで本発明は上記の目的を達成し、且つ従来の課題を解決するために提供するものである。本発明の第１は土木工事用ショベル機械におけるバケット用掘削兼整地具において、横長の整地用プレートにガイド部材を横方向に成形し、ツース部材に止着するためのツースホルダの左右両側に翼片を成形し、且つ当該ツースホルダをガイド部材に沿ってスライド調節できるように嵌合し、且つその各ツースホルダをツース部材に装着し、ロックピンをツースホルダに設けた孔からツース部材の孔に挿通して連結固定すると共に、その各ツースホルダの隣り合う翼片同士を前後に重なり合うように配置したものである。
【０００６】
本発明の第２は土木工事用ショベル機械におけるバケット用掘削兼整地具において、横長の整地用プレート(1)に凸溝形のガイド部材を横方向に成形すると共に、その横長ガイド部材の下方に横長の凹溝形ガイドを成形し、バケットのツース部材を止着するためのツースホルダを凹溝形嵌合部に、またツースホルダの下辺部を前記の凹溝ガイドに沿って共にスライドできるように嵌合し、ロックピンをツースホルダに設けた孔とツース部材の孔に挿通して連結固定すると共に、その各ツースホルダ(4)の隣合う翼片同士を前後に重なり合うように配置したものである。
【０００７】
本発明の第３は第１の発明又は第２の発明に係る土木工事用ショベル機械におけるバケット用掘削兼整地具において、横長の整地用プレートを左右に２分割してプレート片を成形し、これに嵌合掛止するツースホルダの両側翼片の横幅をバケットのツースピッチの半分の長さ若しくはそれより多少長目に設定し、且つ当該翼片の高さをツースホルダとバケットのツース取付け下辺との間を塞げる程度の高さに設定し、前記の両プレート片の中央部に合わせ目を成形し、且つ本体プレートの左右両外側端部にストッパを成形し、各本体プレートの合わせ目を接合段部を介して接合するようにしたものである。
【０００８】
【実施例】
以下、本発明の実施例を図面に即して説明する。１は横長形状を成す掘削兼整地用プレートであり、図１〜図８は整地プレートの全長Ｌを左右に２分割Ｌ1・Ｌ2したプレート片１1・１2にしたものを示すが、図９及び図１０は全長Ｌを一枚型を示してある。２は整地用プレートの高さ方向の略中段において、水平横方向に成形した横向き且つ頭付きの凸溝形のガイド部材、3はバケットBのツース部材Tを脱着するためのロックピン挿脱用逃げ部である。
【０００９】
４はバケットBのツース部材Tを止着するためのツースホルダであり、その左右両側に翼片４１・４2を成形し、下部に突起片４０を一体に成形してある。この場合、翼片はツースホルダ４の開口頂面部位と略面位置以上の高さＨ(図４)にするものとし、好ましくはバケットＢのツース取付け下辺Ｂ1とツースホルダ上辺との間Ｈ1に空隙が形成されているときは当該下辺に接近する高さH（図９）に成形することを可とする。また、左右の翼片の４１・４2の横方向の張り出し寸法ｌ1・ｌ2は、隣り合うツース部材ＴのピッチＰの半分より多少長目に設定してある。さらに、左右の翼片４１・４2は、当該翼片の板厚ｔ1・ｔ2よりやや厚い寸法分だけ前後方向にずらしてある。なお、図６において、左右の翼片４１・４2は垂線に対して所定の角度θ（図示例は約３度）で傾斜してある。
【００１０】
５はツースホルダ４に設けた横向きの頭付き凸溝形ガイド部材２にスライドできるように掛止した凹溝（図７）である。また、５'・５"は横向きの凸溝形ガイド部材２'と上向き凸溝形ガイド２"にスライドできるように掛止した凹溝（図１０）である。
６はツース部材の孔、７はツース部材Tの孔６に挿通してツースホルダ４・ツース部材Tを連結固定するためのロックピン、８は横長ガイド部材２（２'・２"）に沿う下方に成形した凹溝形ガイド、９は横長の本体プレート１の両端に成形した枠形のストッパである。
【００１１】
前記の整地用プレート１は、第１例（図１〜図８）にあっては、５個のツースTを有するバケットBに取付けるタイプであり、左右に２分割したプレート片１１・１２から成り、その中央部の合わせ目Aを接合段部１０を介して接合するようになっている。第２例（図９〜図１０）にあっては、整地用プレート１が単一枚型であり、これに５個のツースBを取付けたタイプである。図中１３は枠型ストッパの代わり成すねじであり、整地用プレートの左右両端部に位置するツースホルダを固定するようになっている。
【００１２】
そして、横長の整地用プレートの凸溝形ガイド部材２及び凹溝形ガイド８は、第２例の場合は、整地用本体プレート１の横長の略全長にわたって成形してある。この場合、枠形ストッパは当該凸溝形ガイド部材及び凹溝形ガイドに設けられていない。
【００１３】
前記の各ツースホルダ４は、必要に応じて本体プレート１の一端または両端に単一のツースホルダを固定しておくこともできるが、その分本体プレート１の重量が増すので、適宜に選択するものとする。
第１例にあっては、２分割したプレート片から成る本体プレート１の左右の両端部に枠形のストッパ９を成形して、ツースホルダ４の脱落防止と位置決めをしたものを示すが、第２例のようにその全てのツースホルダ４を本体プレートに１にストッパを設けないでその凸溝形ガイド部材２及び凹溝形ガイド８の全長に亘ってを滑動できるように掛止することもできる。
【００１４】
なお、前記の凸溝形ガイド部材２の形状は、第１例（図１〜図３）にあっては、断面視が横向きの略Ｔ字を成形し、これに嵌合掛止する凹部をツースホルダ４に成形してあるが、第２例（図８〜図９）のように断面視で本体プレート１の中段部位に横向き凸溝形ガイド部材２’と上辺に凸溝形ガイド部材２”を成形し、これに掛止する凹溝形をツースホルダに形成してある。
【００１５】
【具体的な使用例】
上記の実施例に基づく具体的な工程例を説明する。
まず、第１例の組立にあたっては、２分割したプレート片１１・１２の対向内側端部から凸溝形ガイド部材２及び凹溝形ガイド８に、ツースホルダ４の凹溝５と下部突起片４０を嵌合してスライドし、バケットＢのツース部材Tに位置合わせをする。そして、ガイド部材２の位置決め後において必要に応じその横方向の端部に設けたストッパ９によってツースホルダの脱落を防止する。
【００１６】
本体プレート１に嵌合し且つ可動調節して位置決めしたツースホルダ４は隣合うツースホルダの翼片同士４１・４２が前後に重なり合うように配置される。その重なり合う寸法ｗは各翼片４１・４２の張り出し寸法ｌ1・ｌ2の約２分の１に設定してあるが、その重なり合う量はそれより多くしたり少なくなるように設定することも可能である。
【００１７】
そして、２分割されているプレート片１１・１２を装着しようとするバケットＢのツースＴの数に応じたツースホルダ４をガイド部材２に嵌合した後に掛止しておく。その後プレート片１１・１２の合わせ目Ａを接合部材１０を介して接合する。
【００１８】
第２例にあっては、本体プレート１の左右両端部にはストッパを設けずに、その水平横方向の全長に亘って、横向きの凸形ガイド部材２'と上向き凸形ガイド２"にツースホルダ４の凹溝５'・５"を嵌合且つスライドするようになっている。
後は同じ操作要領でバケットのツースＴの数に応じたツースホルダ４を順次にガイド部材２に嵌合してスライドし、各ツースホルダ４のピッチＰを調節してバケットＢのツース部材Ｔに嵌合してロックピン７をツースホルダ4の正面又は背面から挿通してバケット側に装着する。最後に整地用プレート１の左右両端部に位置するツースホルダ４をねじ１３で本体プレート１に固定する。
整地用プレート１をバケットBから外すには前記の組立操作と反対の順序で行う。なお、第１例及び第２例共に、予めツースホルダ４をバケットのツース部材に取付けておき、そのあとから整地用プレート１を取付ける方法もある。
【００１９】
【発明の効果】
本発明は上記のように、本体プレートとツースホルダを完全に分離して成形し、且つ当該本体プレートにツースホルダをスライドできるように嵌合した構成であるから次のような効果がある。
【００２０】
すなわち、ツースホルダが本体プレートと分離できるので軽量化が図れ、バケットへの脱着作業にあたって作業者の負担を軽減することができ、持ち運びにも便利である。また、バケットツースの取付けピッチを選ばずにツースホルダがスライド調整できるのでツースバケットの機種を問わない。次いで、ツースが４個ないし６個のバケットに対してもそのバケットツースの個数に応じたツースホルダを増減して対応することができる。しかも整地用プレート又はツースホルダ共に破損した部分だけを交換することにより、コストの低減が図れる。
【００２１】
続いて、ツースホルダの左右両側に翼片を設けてあり、且つその隣り合う翼片同士が前後に２枚重ねの状態でプレート本体に装着されるので、翼片の板厚が比較的薄くても掘削や整地時の土圧に対しては２枚分の厚さとなり、その分強度が増大する。また、ツースホルダの左右翼片の高さをその頂面より高くしたことによって、ツースホルダの頂面部位とバケットのツース取付け下辺との間に隙間があってもこれを塞ぐことができるので掘削又は整地の際に土零れすることがなくなる。
【００２２】
そして、プレート本体が整地盤の下半部となるので、ツースホルダの翼片は整地盤の上半部の役割をすればよいため、従来の左右両側板のように分厚くしなくてもその機能が十分に発揮することができる。
【００２３】
さらに、ツースホルダを掛止する本体プレートが横長に長くて大きい場合は、これを分割して構成することにより、重量が減少し、バケットへの脱着作業にあたって作業者の負担を軽減することができる。
【図面の簡単な説明】
【図１】本発明に係る土木工事用ショベル機械におけるバケット用掘削兼整地具の使用状態を示す斜視図である。
【図２】図１のツースホルダの斜視図である。
【図３】図１の掘削兼整地具用本体プレートの斜視図である。
【図４】本発明に係る土木工事用ショベル機械におけるバケット用掘削兼整地具の正面図である。
【図５】図４における一部の平面図である。
【図６】図４の拡大側面図である。
【図７】図４の７−７線に沿う拡大断面図である。
【図８】図４の他の実施例を示す正面図である。
【図９】図８の平面図である。
【図１０】図８の10−10線に沿う断面図である。
【符号の説明】
１  整地用プレート
２  横向き頭付き凸溝形の水平横長ガイド部材
３  ロックピンの挿脱用逃げ部
４  ツースホルダ
５  ガイド部材にスライドできる掛止凹溝
６  ツースホルダのピン孔
７  ロックピン
８  凹溝形水平横長ガイド
９  整地用プレートのストッパ
１０  分割したプレート体の接合段部
１１・１２  ２分割したプレート片
１３  ツースホルダの固定用ねじ
B  バケット
T  ツース部材
【図１】
0003827073.tif 000002
【図２】
0003827073.tif 000003
【図３】
0003827073.tif 000004
【図４】
0003827073.tif 000005
【図５】
0003827073.tif 000006
【図６】
0003827073.tif 000007
【図７】
0003827073.tif 000008
【図８】
0003827073.tif 000009
【図９】
0003827073.tif 000010
【図１０】
0003827073.tif 000011